(57)【特許請求の範囲】
【請求項１】
映像信号を磁気テープに記録あるいは再生する磁気記録再生手段と、カセット毎に異なるカセット番号を付与するカセット番号登録手段と、カセット番号に対応しておりユーザが認識するための表示番号を付与する表示番号登録手段と、前記磁気記録再生手段の出力である映像信号の文字情報挿入領域からカセット番号を抽出するカセット番号抽出手段と、カセット番号、表示番号、録画開始および終了時の磁気テープ位置と録画開始日時を含む番組情報を記憶する記憶手段と、複数のカセット番号を一つの表示番号に対応させ複数のカセット番号の録画番組について磁気テープ位置が重複した録画番組は録画開始日時の新しい方を残し古い方を消去する番組統合手段と、前記記憶手段及び前記番組統合手段と番組情報を授受し前記カセット番号登録手段及び前記表示番号登録手段及び前記カセット番号抽出手段からの番組情報について検索あるいは追加あるいは削除を行う対応制御手段と、カセット番号をデジタル信号として映像信号の文字情報挿入領域に挿入し、この結果を前記磁気記録再生手段に出力するカセット番号挿入手段とを備えることを特徴とするデジタル情報記録再生装置。
【発明の詳細な説明】
【０００１】
【発明に属する技術分野】
本発明は、ビデオテープレコーダ（以下、ＶＴＲと称する）等において、映像信号の文字情報挿入領域、例えば非映像区間である垂直帰線消去インターバル（Ｖｅｒｔｉｃａｌ  Ｂｌａｎｋｉｎｇ  Ｉｎｔｅｒｖａｌ、以下ＶＢＩと称する。）内のデジタル情報の制御法に関するものである。
【０００２】
【従来の技術】
従来のＶＴＲのアナログ映像信号のＶＢＩ内のデジタル情報の制御方法は、例えば特開平８−５０５７２９公報に記載されている。
【０００３】
以下に従来のデジタル情報記録再生装置について図１４を用いて説明する。図１４は従来のデジタル情報記録再生装置の構成を示すブロック図である。２０１はアンテナ、２０２はアンテナからの放送電波をアナログ映像信号に復調するチューナ、２０３は放送電波からのアナログ映像信号のＶＢＩ、ならびに磁気テープから再生されるアナログ映像信号のＶＢＩに存在するデジタル信号を文字情報に復調するＶＢＩデコーダ、２０４は文字情報から磁気テープに記録するためのデジタル信号を作成するＶＢＩエンコーダ、２０５はＶＴＲの駆動制御を行うＶＴＲ制御論理、２０６はＶＴＲを統括制御するマイクロプロセッサ制御装置、２０７は文字情報を記憶させておくＲＡＭ、２０８はカセットのハブを駆動するモータ・機械制御装置、２０９はアナログ映像信号の記録再生を制御するビデオ論理、２１０は磁気テープ２１３を駆動するピンチローラ２１４を制御する位置論理計数器、２１１はヘッドを磁気テープに対してヘリカル回転させるビデオヘッドドラム、２１２はヘッドコイル、２１５はカセットである。
【０００４】
以上のように構成された従来のデジタル情報記録再生装置の動作について、以下に説明する。録画番組の番組タイトルを放送電波からのアナログ映像信号のＶＢＩから読み取りＲＡＭ２０７に記憶する。一方録画されるアナログ映像信号のＶＢＩにカセット番号を内在させたデジタル信号を挿入し、再生時に読み出すことで、カセットに対応した番組タイトルを選択し、テレビ画面に表示することを主な目的としている。より具体的には次のようなステップで行われる。（１）ユーザがタイマー録画予約を行う。（２）録画中、アナログ映像信号のＶＢＩにカセット番号を内在させたデジタル信号を挿入し、映像と同時に記録する。（３）録画中、あるいはその前に、放送電波からのアナログ映像信号のＶＢＩから番組タイトルを読み取りＲＡＭ２０７に記憶する。また磁気テープの録画開始位置も同時にＲＡＭ２０７に記憶する。（４）録画を完了し、ユーザによってカセットが取り出される。ユーザはカセット番号をＴＶから認識でき、カセットにラベルを貼り、カセット番号を書き込むことができる。（５）録画番組を見るためにユーザが再度カセットをＶＴＲに挿入する。（６）ＶＴＲが自動で磁気テープを数秒再生させ、ＶＢＩに記録されているカセット番号を読み込む。（７）カセット番号に対応した番組タイトルをＲＡＭ２０７から読み込み、カセット番号とともにテレビ画面に表示する。（８）ユーザが選んだ番組タイトルに対応した磁気テープの録画開始位置をＲＡＭ２０７から読み込み、磁気テープの早送りあるいは巻き戻しを行い、録画番組の頭出しを行う。またＲＡＭ２０７に記憶されたカセット番号と番組タイトルをＴＶ画面から参照し、該当するカセットを選択することができる。
【０００５】
次に図１５（ａ）は従来のＶＢＩに記録される信号を示している。２１６は水平同期信号（以下、ＨＳＹＮＣと称する）、２１７は基準色位相を表すカラーバースト、２１８はデジタル信号を読み出すときの位相を調整するために設けられたクロックランイン、２１９はデジタル信号の先頭を識別するためのフレームコード、２２０は記録される２バイト（１６ビット）のデジタル信号である。
【０００６】
また図１５（ｂ）はＶＢＩに記録されるデジタル情報を示している。２２１はデータ列の先頭を示すスタートコード、２２２はデータ列の内容を識別するためのタイプコード、２２３はデータ、２２４はデータ２２３の最後を示すエンドコード、２２５は記録再生時に生じるデータエラーを発見するための暗号である。
【０００７】
図１５（ｂ）のデータ列は（ａ）に示すように、１ＶＢＩラインに２バイトづつ記録されていく。この場合ＶＢＩのラインナンバは固定である。再生時は決められたラインナンバのスタートコード２２１とエンドコード２２４を検出することによって全体のデジタル情報を検出する。
【０００８】
【発明が解決しようとする課題】
しかしながら上記の従来の構成では、磁気テープに記録されたカセット番号を、そのままユーザが認識するカセット番号とすると以下の問題点を有していた。即ち、ユーザがＴＶ画面から、あるカセットに登録された番号を消去した場合、そのカセット内に存在するであろう番組情報は、ＲＡＭ２０７から消去される。そして別の新しいカセットを使用した場合、消去した番号が再度登録されるとする。このとき前のカセットを再利用しようとした場合、元々磁気テープのＶＢＩに記録されたカセット番号を使用すると、一つのカセット番号が複数のカセットに存在することになってしまい、誤動作する。
【０００９】
また、カセット毎に必ず異なるカセット番号を与えることでこの問題は回避できるが、カセットをあたらしく使用するごとにカセット番号が大きくなってしまい、ユーザにとってわかりにくくなる。ユーザにとっては、小さいカセット番号の方がわかりやすいからである。
【００１０】
また一つのカセットに複数のカセット番号が間違って登録されてしまうことがある。これはカセット挿入後、カセット番号の読み取りに失敗した後、録画した場合などが考えられる。たとえばユーザがカセット挿入後、ＳＴＯＰキーを押せば、カセット番号の読み取りを強制的に失敗させたことになる。この場合も録画すれば別のカセット番号が与えられ、磁気テープに記録される。その結果、一つのカセットに複数のカセット番号が存在してしまう。
【００１１】
またカセット番号読み取りに失敗した場合、カセット番号をユーザにセットしてもらう方法もあるが、非常に不便である。
【００１２】
本発明は上記従来の問題点を解決するもので、簡単な構成で、磁気テープにカセット番号を登録できるデジタル情報記録再生装置を提供することを目的とする。
【００１３】
【課題を解決するための手段】
この目的を達成するために本発明のデジタル情報記録再生装置は、映像信号を磁気テープに記録あるいは再生する磁気記録再生手段と、カセット毎に異なるカセット番号を付与するカセット番号登録手段と、カセット番号に対応しておりユーザが認識するための表示番号を付与する表示番号登録手段と、前記磁気記録再生手段の出力である映像信号の文字情報挿入領域からカセット番号を抽出するカセット番号抽出手段と、カセット番号、表示番号、録画開始および終了時の磁気テープ位置と録画開始日時を含む番組情報を記憶する記憶手段と、複数のカセット番号を一つの表示番号に対応させ複数のカセット番号の録画番組について磁気テープ位置が重複した録画番組は録画開始日時の新しい方を残し古い方を消去する番組統合手段と、前記記憶手段及び前記番組統合手段と番組情報を授受し前記カセット番号登録手段及び前記表示番号登録手段及び前記カセット番号抽出手段からの番組情報について検索あるいは追加あるいは削除を行う対応制御手段と、カセット番号をデジタル信号として映像信号の文字情報挿入領域に挿入し、この結果を前記磁気記録再生手段に出力するカセット番号挿入手段とを備えた構成を有している。
【００１４】
この構成によって、磁気テープに記録するカセット番号とユーザが確認できる画面上での表示番号をカセット毎に持たせてカセット番号と表示番号を対応させることができ、またカセット番号はカセット毎に異なる番号を与え新しいカセットを使用した場合にはカセット番号は今まで使用した中での最大値より一つ大きい値が登録されることにより複数のカセットが同じカセット番号を持つことを防ぐことができ、さらに表示番号は使用してない中の最小値が選ばれることにより、消去された表示番号も再度利用できこの表示番号は小さいのでユーザにとって非常にわかりやすく、またユーザがあるカセットに登録された表示番号を消去した場合にはそのカセット内に存在するであろう番組情報も記憶手段から消去することができる。
【００１５】
【発明の実施の形態】
本発明の請求項１記載の発明は、映像信号を磁気テープに記録あるいは再生する磁気記録再生手段と、カセット毎に異なるカセット番号を付与するカセット番号登録手段と、カセット番号に対応しておりユーザが認識するための表示番号を付与する表示番号登録手段と、前記磁気記録再生手段の出力である映像信号の文字情報挿入領域からカセット番号を抽出するカセット番号抽出手段と、カセット番号、表示番号、録画開始および終了時の磁気テープ位置と録画開始日時を含む番組情報を記憶する記憶手段と、複数のカセット番号を一つの表示番号に対応させ複数のカセット番号の録画番組について磁気テープ位置が重複した録画番組は録画開始日時の新しい方を残し古い方を消去する番組統合手段と、前記記憶手段及び前記番組統合手段と番組情報を授受し前記カセット番号登録手段及び前記表示番号登録手段及び前記カセット番号抽出手段からの番組情報について検索あるいは追加あるいは削除を行う対応制御手段と、カセット番号をデジタル信号として映像信号の文字情報挿入領域に挿入し、この結果を前記磁気記録再生手段に出力するカセット番号挿入手段とを備えたことを特徴としたものであり、この番組統合手段を用いることにより、一つのカセットに複数のカセット番号が間違って登録されてしまう場合には、複数のカセット番号に一つの表示番号を割り当てるとともに、複数のカセット番号に対応した番組情報を統合することができ、さらにこの統合は、ユーザに知られることなく、ＶＴＲ自身が自動で行うことができるので、ユーザに負担をかけないという作用を有する。
【００１７】
以下、本発明のデジタル情報記録再生装置の実施の形態について、図を用いて説明する。
【００１８】
（実施の形態１）
図１は、本発明の実施の形態１におけるデジタル情報記録再生装置の構成を示すブロック図である。１はカセット毎に異なるカセット番号（以下、ＣＩＤと称する。）を付与するカセット番号登録手段、２はＣＩＤをデジタル信号として、アナログ映像信号の垂直帰線消去インターバルに挿入するカセット番号挿入手段、３はＣＩＤをＶＢＩから抽出するカセット番号抽出手段、４はアナログ映像信号を磁気テープ５０に記録あるいは再生する磁気記録再生手段、５はＣＩＤに対応しており、ユーザがＴＶ画面上で認識するための表示番号（以下、ＡＩＤと称する。）を、使用していないＡＩＤの中から最小値を選んで付与する表示番号登録手段、６はＣＩＤとＡＩＤを含む番組情報を記憶する記憶手段、７は前記番組情報の検索、追加、削除を行う対応制御手段、５０は磁気テープである。
【００１９】
以下その動作について説明する。図２は記憶手段６に存在するＣＩＤ、ＡＩＤおよび番組情報の様子を表している。８は記憶手段６の記憶領域、９、１０、１１はカセット毎の番組情報、１２は一つのカセット内に存在する情報の詳細を示している。一つのカセットにはＡＩＤ（Ａｐｐｌｉｃａｔｉｏｎ  ＩＤｅｎｔｉｆｉｃａｔｉｏｎ）、ＣＩＤ（Ｃａｓｓｅｔｔｅ  ＩＤｅｎｔｉｆｉｃａｔｉｏｎ）が一つづつ存在し、録画番組毎に番組ナンバ、録画開始日時、開始テープ位置、終了テープ位置、チャンネル、放送局名、番組タイトル等の情報が組みとして記憶されている。
【００２０】
図３はＡＩＤを登録、消去する場合のフローチャートを表している。図３（ａ）はカセットにＣＩＤが既に存在しているかどうかをチェックするフローチャートである。プロセス１３から始まり、カセット挿入後（プロセス１４）、再生しＶＢＩに存在するＣＩＤをカセット番号抽出手段３で検出する（プロセス１５）。ＣＩＤがある場合は、対応制御手段７がＣＩＤに対応するＡＩＤを記憶手段６の中から検索し（プロセス１７）、ＡＩＤと録画番組情報をＴＶ画面に表示する（プロセス１８）。ユーザはカセットに録画された番組をチェックすることができる。ＡＩＤがなければ、そのまま終了する（プロセス１９）。図３（ｂ）は録画時のプロセスを示すフローチャートである。プロセス２０から始まり、プロセス２１で録画を開始する。録画開始直後、ＣＩＤが存在していなければ、今まで使用したＣＩＤより一つ大きい番号を新しいＣＩＤとしてカセット番号登録手段１で与える（プロセス２２、２３、２４）。録画中はＣＩＤがカセット番号挿入手段２によりアナログ映像信号のＶＢＩに挿入され、磁気記録再生手段４により磁気テープ５０に記録される（プロセス２５）。録画終了時（プロセス２６）には、表示番号登録手段５で、今まで使用していない中で最小の表示番号を記憶手段６の中から検索し、ＣＩＤに対応するＡＩＤを与える（プロセス２７、２８）。最後に対応制御手段７は録画番組情報（ＡＩＤ、ＣＩＤ、番組ナンバ、録画開始日時、開始テープ位置、終了テープ位置、チャンネル、放送局名、番組タイトル）を記憶手段６の中へ追加して（プロセス２９）、処理を終了する（プロセス３０）。図３（ｃ）は、ユーザがＡＩＤおよびその番組情報を削除するときのプロセスを示すフローチャートである。プロセス３１から始まり、ユーザはＡＩＤとそのＡＩＤに属する録画番組情報をＴＶ画面から確認することができる（プロセス３２）。またＡＩＤを切り替えることで、他のＡＩＤの録画番組情報を参照することができる（プロセス３３）。また対応制御手段７でユーザは登録された任意のＡＩＤとその録画番組情報を消去することができる（プロセス３４、３５）。最後に処理を終了する（プロセス３６、３７）。
【００２１】
図４は記憶手段６の中の番組情報の追加、削除の一例を示している。（ａ）において３８は追加前の記憶手段６の内容、３９は追加後の記憶手段６の内容、４０は追加された番組情報を示している。ＡＩＤは１、２、４、５の順に、ＣＩＤは１、３、１０、１１の順に存在している。図３で説明したように録画終了後、空いているＡＩＤの最小値が検索される。この場合はＡＩＤに３、ＣＩＤに１２が割り当てられ、番組情報４０が挿入される。（ｂ）において４１は追加前の記憶手段６の内容、４２は追加後の記憶手段６の内容、４３は削除された番組情報を示している。（ａ）と同様にＡＩＤは１、２、４、５の順に、ＣＩＤは１、３、１０、１１の順に存在している。図３で説明したようにユーザはＡＩＤを削除することができる。たとえばＡＩＤが４、ＣＩＤが１０が削除されるときは、ＡＩＤが５の番組情報が隙間なく詰められる。
【００２２】
図５は、図１をＶＴＲに適用した場合の基本構成を示している。４４はＶＴＲ、その内部において、４５は映像と音声を記録、再生するビデオヘッド、４６はビデオヘッドを搭載したシリンダ、４７はシリンダを回転させるためのシリンダモータ、４８はシリンダモータを駆動するためのシリンダモータ駆動回路、４９はシリンダモータの回転数を計測するシリンダＦＧ、５０は記録される磁気テープ、５１は磁気テープを走行させるキャプスタンモータ、５２はキャプスタンモータを駆動するためのキャプスタンモータ駆動回路、５３はキャプスタンモータの回転数を計測するキャプスタンＦＧ、５４は、磁気テープ内に構成されるリニアコントロールトラックに、コントロール信号を記録、あるいは検出するコントロールヘッド、５５はコントロールヘッドから得られるコントロール信号をカウントし、カウント値を基に、シリンダモータ駆動回路４８とキャプスタンモータ駆動回路５２を制御するとともに、磁気記録再生手段４の再生と録画のモードの切り換えを行う制御回路、５６はアナログ映像信号の変調を行う変調回路、５７は変調回路の出力信号を増幅する記録増幅回路、５８はビデオヘッドから出力信号を増幅する再生増幅回路、５９は再生増幅回路の出力信号の復調を行う復調回路、６０はアナログ映像信号内のテレテキストデータから番組タイトルを抽出してマイクロコントローラに送るテレテキストデコーダ、６１は絵文字情報をアナログ映像信号に変換するキャラクタジェネレータ、６２はカセット番号登録手段１、表示番号登録手段５、対応制御手段７を内部に持つマイクロコントローラ、６３はアナログ映像信号と、絵文字信号を合成する信号切換回路である。磁気記録再生手段４は変調回路５６、記録増幅回路５７、再生増幅回路５８、復調回路５９を内部に持つ。
【００２３】
ＣＩＤが既に存在していなければ、今まで使用したＣＩＤより一つ大きい番号を新しいＣＩＤとしてカセット番号登録手段１で与える。録画時はＣＩＤがカセット番号挿入手段２によりアナログ映像信号のＶＢＩに挿入され、磁気記録再生手段４により磁気テープ５０に記録される。録画終了時には、表示番号登録手段５で、今まで使用してない中で最小のＡＩＤを記憶手段６の中から検索し、ＣＩＤに対応するＡＩＤを与える。最後に対応制御手段７が録画番組情報を記憶手段６の中へ追加する。再生時はＶＢＩに存在するＣＩＤをカセット番号抽出手段３で検出する。ＣＩＤがある場合は、対応制御手段７がＣＩＤに対応するＡＩＤを記憶手段６の中から検索し、ＡＩＤと録画番組情報をキャラクタジェネレータ６１を通してＴＶ画面に表示する。
【００２４】
図６は１ＶＢＩに記録されるデジタル信号の信号形態を表している。６４は水平同期信号、６５はカラーバースト、６６はクロックランイン、６７はフレームコード、６８はアナログ映像信号に挿入されたデータである。
【００２５】
図７はＴＶ画面上の番組情報の例である。ユーザは、ＡＩＤであるＮｏ．４をカセットの番号として認識し、カセットに録画された番組タイトル（Ｔｉｔｌｅ）と録画開始日時（Ｄａｔｅ）を知ることができる。
【００２６】
以上のように本実施の形態によれば、磁気テープに記録するＣＩＤとユーザが確認できるＴＶ画面上でのＡＩＤをカセット毎に持たせ、ＣＩＤとＡＩＤを対応させる。ＣＩＤはカセット毎に異なる番号を与えることで、複数のカセットが同じＣＩＤを持つことを防ぐことができる。ＡＩＤは消去されたＡＩＤを再度利用できる。
【００２７】
さらにユーザがあるカセットに登録されたＡＩＤを消去した場合、そのカセット内に存在するであろう番組情報は、記憶手段から消去される。次に別の新しいカセットを使用した場合、ＣＩＤは今まで使用した中で最大値より一つ大きい値が登録される。一方ＡＩＤは使用していない中の最小値が選ばれるので、消去されたＡＩＤも再度利用できる。また小さなＡＩＤはユーザにとって非常にわかりやすい。
【００２８】
尚、上記実施の形態では映像信号としてアナログ映像信号を、また文字情報挿入領域としてアナログ映像信号におけるＶＢＩを用いて説明してきたが、映像信号としてデジタル映像信号を用い、また文字情報挿入領域としてデジタル映像信号における文字情報を挿入できる領域についても適用できることは言うまでもない。
【００２９】
（実施の形態２）
図８は、本発明の実施の形態２におけるデジタル情報記録再生装置の構成を示すブロック図である。６９はカセット毎に異なるＣＩＤを付与するカセット番号登録手段、７０は番組情報の検索、追加、削除を行う対応制御手段、７１はＣＩＤをデジタル信号としてアナログ映像信号のＶＢＩに挿入するカセット番号挿入手段、７２はＣＩＤをＶＢＩから抽出するカセット番号抽出手段、７３は前記アナログ映像信号を、磁気テープ５０に記録あるいは再生する磁気記録再生手段、７４はＣＩＤに対応しており、ユーザが認識するためのＡＩＤを付与する表示番号登録手段、７５はＣＩＤ、ＡＩＤ、開始テープ位置、終了テープ位置と録画開始日時を含む番組情報を記憶する記憶手段、７６は複数のＣＩＤを一つのＡＩＤに対応させ、前記複数のＣＩＤの録画番組について、磁気テープ位置が重複した録画番組は、録画開始日時の新しい方を残し、古い方を消去する番組統合手段である。
【００３０】
この構成により、一つのカセットに複数のＣＩＤが間違って登録された場合の修正を行う。間違って登録される例としては、カセット挿入後、ＣＩＤの読み取りに失敗した後、録画した場合などが考えられる。たとえばユーザがカセット挿入後、ＳＴＯＰキーを押せば、ＣＩＤの読み取りを強制的に失敗させたことになる。この場合も録画すれば別のＣＩＤが与えられ、一つのカセットに複数のＣＩＤが存在することになる。
【００３１】
統合する際には、ＡＩＤは小さい方が選ばれる。図９に記憶手段７５の記憶領域の遷移の様子を示す。８４は統合前の記憶領域、８５は統合後の記憶領域、８６及び８７は統合前の番組情報、８８は統合後の番組情報である。ＡＩＤが４は統合後なくなり、新たにＡＩＤが１の番組情報が構成される。
【００３２】
以下、その動作について説明する。番組情報８６ではＡＩＤは１、ＣＩＤは１、番組タイトルがＭｏｖｉｅ、ＢＣ２  ＮＥＷＳそしてＢＣ３  ＮＥＷＳである。
今、ａ、ｂ、ｃ、ｄ、ｅ、ｆ及びｇはテープの位置を示す数値でテープ始端では小さくテープ終端に近付く程大きくなるものとし、ａ＜ｂ＜ｃ＜ｄ＜ｅ＜ｆ＜ｇであるとする。Ｍｏｖｉｅの録画開始日時は１９９７年１月２日、開始テープ位置はａ、終了テープ位置はｂである。ＢＣ２  ＮＥＷＳの録画開始日時は１９９７年２月３日、開始テープ位置はｄ、終了テープ位置はｅである。ＢＣ３  ＮＥＷＳの録画開始日時は１９９７年２月３日、開始テープ位置はｆ、終了テープ位置はｇである。また、番組情報８７ではＡＩＤは４、ＣＩＤは５、番組タイトルがＢＣ１  ＮＥＷＳ、録画開始日時は１９９７年５月１５日、開始テープ位置はａ、終了テープ位置はｃである。尚、Ｍｏｖｉｅはテープ上ではＢＣ１  ＮＥＷＳによって上書きされており、もはや存在しないものとする。磁気記録再生手段７３により再生状態を続けると、カセット番号抽出手段７２によって、ＣＩＤが５及び１を検出することができ、一つのカセットの中に複数のＣＩＤが存在することが確認できる。
【００３３】
次に番組統合手段７６によりＡＩＤが１、ＣＩＤが１の場合とＡＩＤが４、ＣＩＤが５の場合の統合を行う。統合は磁気テープ５０の開始テープ位置、終了テープ位置と録画開始日時を基に行う。まず磁気テープ始端の磁気テープ位置から番組の重なりをチェックする。Ｍｏｖｉｅの開始テープ位置はａ、終了テープ位置はｂ、またＢＣ１  ＮＥＷＳの開始テープ位置はａ、終了テープ位置はｃであり磁気テープ位置が重なっている。この場合は次に両方の録画開始日時をチェックする。Ｍｏｖｉｅの録画開始日時は１９９７年１月２日、ＢＣ１  ＮＥＷＳの録画開始日時は１９９７年５月１５日なのでＢＣ１  ＮＥＷＳの方が最近録画されたものであることが確認できる。したがってＭｏｖｉｅはすでに存在しない番組であり、ＢＣ１  ＮＥＷＳによって上書きされていることがわかる。ＢＣ２  ＮＥＷＳとＢＣ３  ＮＥＷＳについては磁気テープ位置上の重なりはないので、現在も存在していることがわかる。
【００３４】
統合後は記憶手段７５の中に番組タイトルがＭｏｖｉｅについての情報が削除され、かわってＢＣ１  ＮＥＷＳのＡＩＤも１に変更される。番組情報８８が作成されＡＩＤは１、ＣＩＤは１及び５、番組タイトルがＢＣ１  ＮＥＷＳ、録画開始日時は１９９７年５月１５日、開始テープ位置はａ、終了テープ位置はｃ、ＢＣ２  ＮＥＷＳの録画開始日時は１９９７年２月３日、開始テープ位置はｄ、終了テープ位置はｅ、そしてＢＣ３  ＮＥＷＳの録画開始日時は１９９７年２月３日、開始テープ位置はｆ、終了テープ位置はｇとなる。
【００３５】
図１０にさらに番組統合手段７６の動作内容を示す。図１０（ａ）は図９の番組情報８６における内容を表したもので、７８は開始テープ位置、終了テープ位置を模式的に示したもの、図１０（ｂ）は図９の番組情報８７における内容を表したもので、７９は開始テープ位置、終了テープ位置を模式的に示したもの、図１０（ｃ）は図９の番組情報８８における内容を表したもので、８０は開始テープ位置、終了テープ位置を模式的に示したものである。また図１０（ｄ）の８３は番組情報８８についてのＴＶ画面上の表示例である。このように磁気テープ位置の情報は図１０（ｃ）のようにＢＣ１  ＮＥＷＳ、ＢＣ２  ＮＥＷＳ、ＢＣ３ＮＥＷＳの順になり、記憶手段７０上の番組情報と実際の磁気テープ位置とが一致することがわかる。
【００３６】
図１１は本発明の実施の形態２における記憶手段７５の中の構成を表した図で、８９は統合後の記憶手段７５の記憶領域であり、９０は統合された番組情報、９１、９２はその他の番組情報、９３は番組情報９０の詳細である。番組情報９３のようにＡＩＤが１の番組情報の中にＣＩＤが１及び５は共存させておく。これにより磁気テープから再生時に検出されたＣＩＤが１あるいは５でも、ＡＩＤは１が検索できるようにしている。
【００３７】
図１２は上述した複数のＣＩＤを統合するためのフローチャートである。ＣＩＤとしてＡとＢを用いる。プロセス９４から始まり、プロセス９５でｉ、ｊに１を代入する。プロセス９６でＣＩＤがＡのｉ番目の番組情報を選択する。次にプロセス９７でＣＩＤがＢのｊ番目の番組情報を選択する。プロセス９８で両番組情報の磁気テープ位置から両番組が重なっているかどうかチェックする。もし重なっていれば、プロセス９９で両番組情報の録画開始日時から、どちらの番組が最近録画されたものかチェックする。ＣＩＤがＡのｉ番目の番組が最近録画されたものなら、ＣＩＤがＢのｊ番目の番組を後で削除する（プロセス１０１）。ＣＩＤがＢのｊ番目の番組が最近録画されたものなら、ＣＩＤがＡのｉ番目の番組を後で削除する（プロセス１００）。次にプロセス１０２でＣＩＤがＢのｊ番目の番組が最後でなければ、ｊを一つ増加させて（プロセス１０３）、プロセス９７へ戻る。ＣＩＤがＢのｊ番目の番組が最後ならば、ｊに１を代入する（プロセス１０４）。プロセス１０５でＣＩＤがＡのｉ番目の番組が最後でなければ、ｉを一つ増加させて（プロセス１０７）、プロセス９６へ戻る。ｉ番目の番組が最後ならば、プロセスで削除される番組以外の番組を磁気テープ位置順にまとめ（プロセス１０６）、処理を終了する（プロセス１０８）。
【００３８】
図１３は図８をＶＴＲに適用した場合の基本構成を示している。４４はＶＴＲ、その内部において、４５は映像と音声を記録、再生するビデオヘッド、４６はビデオヘッドを搭載したシリンダ、４７はシリンダを回転させるためのシリンダモータ、４８はシリンダモータを駆動するためのシリンダモータ駆動回路、４９はシリンダモータの回転数を計測するシリンダＦＧ、５０は記録される磁気テープ、５１は磁気テープを走行させるキャプスタンモータ、５２はキャプスタンモータを駆動するためのキャプスタンモータ駆動回路、５３はキャプスタンモータの回転数を計測するキャプスタンＦＧ、５４は、磁気テープ内に構成されるリニアコントロールトラックに、コントロール信号を記録、あるいは検出するコントロールヘッド、５５はコントロールヘッドから得られるコントロール信号をカウントし、カウント値を基に、シリンダ駆動回路とキャプスタン駆動回路を制御するとともに、磁気記録再生手段の再生と録画のモードの切り換えを行う制御回路、５６はアナログ映像信号の変調を行う変調回路、５７は変調回路の出力信号を増幅する記録増幅回路、５８はビデオヘッドから出力信号を増幅する再生増幅回路、５９は再生増幅回路の出力信号の復調を行う復調回路、７３は、５６、５７、５８、５９を内部に持つ磁気記録再生手段、６９はカセット番号登録手段、７１はカセット番号挿入手段、７２はカセット番号抽出手段、７４は表示番号登録手段、７０は対応制御手段、７５は記憶手段、７６は番組統合手段である。６０はアナログ映像信号内のテレテキストデータから番組タイトルを抽出してマイクロコントローラに送るテレテキストデコーダ、６１は絵文字情報をアナログ映像信号に変換するキャラクタジェネレータ、６２はカセット番号登録手段６９、対応制御手段７０、表示番号登録手段７４を内部に持つマイクロコントローラ、６３はアナログ映像信号と、絵文字信号を合成する信号切換回路である。
【００３９】
再生時はＶＢＩに存在するＣＩＤをカセット番号抽出手段７２で検出する。ＣＩＤがある場合は、対応制御手段７０がＣＩＤに対応するＡＩＤを記憶手段７５の中から検索し、ＡＩＤと録画番組情報をキャラクタジェネレータ６１を通してＴＶ画面に表示する。ユーザはカセットに録画された番組をチェックすることができる。
【００４０】
録画時はＣＩＤがカセット番号挿入手段７１からアナログ映像信号のＶＢＩへ挿入される。ＣＩＤが既に存在していなければ、今まで使用したＣＩＤより一つ大きい番号を新しいＣＩＤとしてカセット番号登録手段６９で与える。録画中はＣＩＤがカセット番号挿入手段７１によりアナログ映像信号のＶＢＩに挿入され、磁気記録再生手段７３により磁気テープ５０に記録される。録画終了時には、表示番号登録手段７４で、今まで使用してない中で最小のＡＩＤを記憶手段７５の中から検索し、ＣＩＤに対応するＡＩＤを与える。最後に対応制御手段７０が録画番組情報を記憶手段７５の中へ追加する。また磁気テープ５０において磁気記録再生手段７３により再生状態を続けると、カセット番号抽出手段７２によって、複数のＣＩＤを検出することができる。一つのカセットの中に複数のＣＩＤが存在することが確認できた場合は、上述したように番組統合手段７６により番組の統合を行う。
【００４１】
以上のように本実施の形態によれば、一つのカセットに複数の異なるＣＩＤが間違って記録された場合、複数のＣＩＤに一つのＡＩＤを割り当てるとともに、複数のＣＩＤに対応した番組情報を統合することができる。
【００４２】
【発明の効果】
以上のように本発明は、磁気テープに記録するカセット番号とユーザが確認できる画面上での表示番号をカセット毎に持たせてカセット番号と表示番号を対応させることができ、またカセット番号はカセット毎に異なる番号を与え新しいカセットを使用した場合にはカセット番号は今まで使用した中での最大値より一つ大きい値が登録されることにより複数のカセットが同じカセット番号を持つことを防ぐことができ、さらに表示番号は使用してない中の最小値が選ばれることにより、消去された表示番号も再度利用できこの表示番号は小さいのでユーザにとって非常にわかりやすく、またユーザがあるカセットに登録された表示番号を消去した場合にはそのカセット内に存在するであろう番組情報も記憶手段から消去されるという優れた効果が得られる。
【００４３】
また、一つのカセットに複数のカセット番号が間違って登録されてしまう場合には、複数のカセット番号に一つの表示番号を割り当てるとともに、複数のカセット番号に対応した番組情報を統合することができ、さらにこの統合は、ユーザに知られることなく、ＶＴＲ自身が自動で行うことができるので、ユーザに負担をかけないという優れた効果が得られる。
【図面の簡単な説明】
【図１】本発明の実施の形態１におけるデジタル情報記録再生装置の構成を示すブロック図
【図２】本発明の実施の形態１における記憶手段６の中の構成を表した図
【図３】本発明の実施の形態１におけるＡＩＤを登録、消去する場合のフローチャート
【図４】本発明の実施の形態１における記憶手段６の中の番組情報の追加、削除を説明するための図
【図５】図１をＶＴＲに適用した場合の基本構成を示す図
【図６】本発明の実施の形態１におけるＶＢＩに記録されるデジタル信号の信号形態を示す図
【図７】本発明の実施の形態１におけるＴＶ画面上の番組情報を表す図
【図８】本発明の実施の形態２におけるデジタル情報記録再生装置の構成を示すブロック図
【図９】本発明の実施の形態２における記憶手段７５の記憶領域の遷移の様子を表す図
【図１０】本発明の実施の形態２における番組統合手段７６の動作内容を示す図
【図１１】本発明の実施の形態２における記憶手段７５の中の構成を表した図
【図１２】本発明の実施の形態２における複数のＣＩＤを統合するためのフローチャート
【図１３】図８をＶＴＲに適用した場合の基本構成を示す図
【図１４】従来のデジタル情報記録再生装置の構成を示すブロック図
【図１５】従来のＶＢＩに記録される信号を説明するための図
【符号の説明】
１、６９  カセット番号登録手段
２、７１  カセット番号挿入手段
３、７２  カセット番号抽出手段
４、７３  磁気記録再生手段
５、７４  表示番号登録手段
６、７５  記憶手段
７、７０  対応制御手段
５０  磁気テープ
７６  番組統合手段
【図１】
0003557919.tif 000002
【図２】
0003557919.tif 000003
【図３】
0003557919.tif 000004
【図４】
0003557919.tif 000005
【図５】
0003557919.tif 000006
【図６】
0003557919.tif 000007
【図７】
0003557919.tif 000008
【図８】
0003557919.tif 000009
【図９】
0003557919.tif 000010
【図１０】
0003557919.tif 000011
【図１１】
0003557919.tif 000012
【図１２】
0003557919.tif 000013
【図１３】
0003557919.tif 000014
【図１４】
0003557919.tif 000015
【図１５】
0003557919.tif 000016